(57)【要約】      （修正有）【課題】排泄量が少ない場合でも、着用者の動作等に起因して横方向へ流れ出す液を遮ることができ、かつ柔らかな肌触りやドライ感等を保持できる吸収性物品を提供する。【解決手段】肌当接面側に配された表面シート１、非肌当接面側に配された裏面シート２、及び両シートの間に介在配置された液保持性の吸収性コア３を備え、吸収性コアは、親水性繊維と吸水性ポリマーとを含有し、横方向において、左右一対の側部吸収部３６と、部吸収部に挟まれた中央吸収部３７とに区分され、側部収部は平面視して縦方向に配置されており、中央吸収部よりも側部吸収部の吸水性ポリマーの坪量が大きく、側部吸収部の吸水性ポリマーの坪量（ｑ１）の、中央吸収部の吸水性ポリマーの坪量（ｑ２）に対する比（ｑ１／ｑ２）が２以上、５以下であり、吸収性コアには、厚み方向に貫通した溝部８が、側部吸収部と中央吸収部との境界近傍に縦方向に配設されている吸収性物品。【選択図】図１
2014100201.tif 000002
【特許請求の範囲】
【請求項１】
肌当接面側に配された表面シート、非肌当接面側に配された裏面シート、及び前記両シートの間に介在配置された液保持性の吸収性コアを備え、着用者の腹側部から股下部を介して背側部に亘って配される方向を縦方向、該縦方向と直交する方向を横方向とする吸収性物品であって、
前記吸収性コアは、親水性繊維と吸水性ポリマーとを含有し、横方向において、左右一対の側部吸収部と、該側部吸収部に挟まれた中央吸収部とに区分され、前記側部吸収部は平面視して縦方向に配置されており、
前記中央吸収部よりも前記側部吸収部の前記吸水性ポリマーの坪量が大きく、前記側部吸収部の吸水性ポリマーの坪量（ｑ１）の、前記中央吸収部の吸水性ポリマーの坪量（ｑ２）に対する比（ｑ１／ｑ２）が２以上、５以下であり、
前記吸収性コアには、厚み方向に貫通した溝部が、前記側部吸収部と前記中央吸収部との境界近傍に縦方向に配設されている吸収性物品。
【請求項２】
前記溝部の横方向の溝幅が２ｍｍ以上、７ｍｍ以下である請求項１記載の吸収性物品。
【請求項３】
前記吸収性コアの肌当接面側において、側部吸収部と中央吸収部とは面一とされているか、又は側部吸収部が中央吸収部よりも低くされており、排泄の初期段階で側部吸収部全体が隆起して防漏堤となり中央吸収部よりも高くなる請求項１又は２記載の吸収性物品。
【請求項４】
前記溝部は、前記側部吸収部及び前記中央吸収部の境界と重なる配置とされているか、または、前記境界と前記溝部の横方向外方端との離間距離を１０ｍｍ以内として前記境界よりも横方向中央寄りの配置とされている請求項１〜３のいずれか１項に記載の吸収性物品。
【請求項５】
前記溝部の縦方向の長さは、前記吸収性コアの縦方向長さを５等分したときの中央３区画分以上であり、前記吸収性コアの縦方向長さの８０％以内である請求項１〜４のいずれか１項に記載も吸収性物品。
【請求項６】
前記側部吸収部に含有される吸水性ポリマーは、肌当接面側よりも非肌当接面側に多く配置されている請求項１〜５のいずれか１項に記載の吸収性物品。
【請求項７】
前記吸収性コアには、溝部及び側部吸収部の非肌当接面側を覆い、さらに前記側部吸収部の側面へと巻きあげられた親水性シートが配されている請求項１〜６のいずれか１項に記載の吸収性物品。
【請求項８】
前記吸収性物品が失禁パッドである請求項１〜７のいずれか１項に記載の吸収性物品。
【発明の詳細な説明】
【技術分野】
【０００１】
本発明は、失禁パッドや生理用ナプキン、使い捨ておむつなどの吸収性物品に関する。
【背景技術】
【０００２】
失禁パッド等の吸収性物品においては、各部材の材料や構造を改良し、その機能や着用感の向上が図られてきた。特に、液の防漏性については、着用感の向上の観点から吸収性物品の種類や用途に応じて種々の提案がなされている。
【０００３】
例えば、特許文献１には、内表面上に補助吸収具を載置して該補助吸収具と共に着用される使い捨ておむつが開示されている。この使い捨ておむつは、前記補助吸収具が載置される吸収体を備える。該吸収体では、中央吸収部よりも両サイド吸収部の液吸収時の最大膨潤率が高くされている。これにより、補助吸収具から溢れ出した液をサイド吸収部が吸収して厚みを増し、サイド吸収部による大腿部の締め付け力が向上するとされる。また前記サイド吸収部の非肌当接面側に低剛性領域を設けて折れ曲がり易くし、大腿部への圧接を確実にできるとされる。その結果、股下からの漏れを効果的に防止するとされる。
【０００４】
また特許文献２には、吸収体に凹状又はスリット状の溝部に設けた吸収性物品が開示されている。前記溝部は、吸収体の中央部と両側縁部との間に前後方向に配設されている。さらに前記吸収性物品は、トップシートに内側立体ギャザー及び外側立体ギャザーを有する。この２つの立体ギャザーと溝部との配置関係を規定することで、トップシート表面を伝って移動する尿を塞ぎ止め、液を素早く吸収して横漏れを防止できるとされる。
【０００５】
【特許文献１】特開２００３−９３４４０号公報
【特許文献２】特開２０１１−１５６０３２号公報
【発明の概要】
【発明が解決しようとする課題】
【０００６】
前記特許文献１の使い捨ておむつは、補助吸収具から溢れ出す多量の排泄液に対する防漏性を有する。また、前記特許文献２の吸収性物品は、防漏性を高めるため、２種類の立体ギャザーによる締め付けで肌との密着性を高めている。しかしこの締め付けは肌への負担ともなりかねない。
本発明は、上記の点を踏まえ、排泄量が少ない場合でも、着用者の動作等に起因して横方向へ流れ出す液を遮ることができ、かつ柔らかな肌触りやドライ感等を保持できる吸収性物品に関する。
【課題を解決するための手段】
【０００７】
本発明は、肌当接面側に配された表面シート、非肌当接面側に配された裏面シート、及び前記両シートの間に介在配置された液保持性の吸収性コアを備え、着用者の腹側部から股下部を介して背側部に亘って配される方向を縦方向、該縦方向と直交する方向を横方向とする吸収性物品であって、前記吸収性コアは、親水性繊維と吸水性ポリマーとを含有し、横方向において、左右一対の側部吸収部と、該側部吸収部に挟まれた中央吸収部とに区分され、前記側部吸収部は平面視して縦方向に配置されており、前記中央吸収部よりも前記側部吸収部の前記吸水性ポリマーの坪量が大きく、前記側部吸収部の吸水性ポリマーの坪量（ｑ１）の、前記中央吸収部の吸水性ポリマーの坪量（ｑ２）に対する比（ｑ１／ｑ２）が２以上、５以下であり、前記吸収性コアには、厚み方向に貫通した溝部が、前記側部吸収部と前記中央吸収部との境界近傍に縦方向に配設されている吸収性物品を提供する。
【発明の効果】
【０００８】
本発明の吸収性物品は、排泄量が少ない場合でも、着用者の動作等に起因して横方向へ流れ出す液を遮ることができ、かつ柔らかな肌触りやドライ感等を保持できる。
【図面の簡単な説明】
【０００９】
【図１】本発明の吸収性物品の好ましい一実施形態としての失禁パッドを模式的に示した一部切欠斜視図である。
【図２】図１におけるＩＩ−ＩＩ線断面を示す断面図である。
【図３】（ａ）は排泄前の吸収性コアを示す一部断面斜視図であり、（ｂ）は排泄初期段階で防漏堤が形成された吸収性コアを示す一部断面斜視図である。
【図４】（ａ）〜（ｃ）は、被覆シートによる吸収性コアの好ましい被覆形態を模式的に示した断面図である。
【図５】（ａ）は吸収性コアにおいて溝部が側部吸収部と中央吸収部との境界より内方に配置された態様を模式的に示した平面図であり、（ｂ）は吸収性コアにおいて溝部が前記境界と重なる配置とされた態様を模式的に示す平面図である。
【図６】（ａ）〜（ｆ）は、溝部と境界Ｍとの配置関係の変形例を模式的に示す平面図である。
【発明を実施するための形態】
【００１０】
本発明に係る吸収性物品の好ましい一実施形態として失禁パッドについて、図面を参照しながら以下に詳述する。
【００１１】
本発明においては、特に断らない限り、人体に接触する側を肌面側ないし肌当接面側あるいは表面側といい、これと反対側を非肌面側ないし非肌当接面側あるいは裏面側という。着用時に人体の前側に位置する方向を前方といいその端部を前端部とし、後側に位置する方向を後方といいその端部を後端部として説明する。この前端部と後端部とを結ぶ方向、つまり着用者の腹側部から股下部を介して背側部に亘る方向を、吸収性物品の縦方向（Ｙ方向）という。この縦方向と直交する方向を横方向（Ｘ方向）という。また、吸収性物品の表面又は裏面の法線方向を厚み方向といいその量を厚みという。
【００１２】
図１には、本実施形態の失禁パッド１０の全体構造が示されている。失禁パッド１０は、肌当接面側に配された液透過性の表面シート１、非肌当接面側に配された液難透過性の裏面シート２、及び前記両シートの間に介在配置された液保持性の吸収性コア３を備える。吸収性コア３は、親水性繊維３１と吸水性ポリマー３２とを含有した混合積繊体である。この吸収性コア３の外面が被覆シート４で覆われて吸収体５となる。さらに、失禁パッド１０の左右両側には、起立防漏壁６０をなす撥水性のサイドシート６が配されている。
【００１３】
表面シート１は、肌触りが良く液透過性の部材からなり、例えば、親水性のエアスルー不織布からなる。裏面シート２は、吸収体３の非肌当接面側で液漏れを防ぐ観点から、液難透過性の部材からなり、例えば、液不透過性の多孔性フィルム等を用いて形成されたものである。また、ムレ防止の観点から透湿性を有することが好ましい。前記液難透過性とは、液を透過させにくい性質を意味し、防水性、撥水性及び液不透過性を含む。
【００１４】
このようにして形成された失禁パッド１０は、縦方向（Ｙ方向）と、該縦方向と直交する横方向（Ｘ方向）とを有する、縦長形状である。失禁パッド１０は、着用の際、表面シート１側を着用者の肌側に向けられる。そして、失禁パッド１０の縦方向を下腹部から臀部にかけて配し、その横方向を左右の足を繋ぐ方向に向けて配して着用される。その際、裏面シート２の非肌当接面側に配設される粘着部２２（図２参照）で失禁パッド１０を着衣に固定される。
【００１５】
失禁パッド１０は、着用者の排泄ポイントに対応する排泄部対応領域Ｃ、排泄部対応領域Ｃよりも前方の下腹部側に対応する前方部Ｆ、後方の臀部側に対応する後方部Ｒを有する。本実施形態における排泄部対応領域Ｃは、失禁パッド１０を縦方向に３領域の区分したときの中央の領域である。この区分は、前述のとおり着用者の排泄ポイント全体を覆う部分を排泄部対応領域Ｃとでき、使用目的等によって変わる吸収性物品の大きさに合わせて設定され得る。臀部を覆う幅広の後方フラップを有する吸収性物品の場合、排泄部対応領域Ｃは前方寄りとなる。
【００１６】
吸収性コア３は、図２に示されるように、横方向において、左右一対の側部吸収部３６、３６と、側部吸収部３６に挟まれた中央吸収部３７とに区分される。中央吸収部３７よりも側部吸収部３６の吸水性ポリマー３２の坪量が大きくされている。この両吸収部の境界は、図２において、符号をＭとし一点鎖線で示されている（他の図においても同様。）。側部吸収部３６及び中央吸収部３７は平面視して吸収性コア３の全長に亘って縦方向（Ｙ方向）に配されている。側部吸収部３６と中央吸収部３７とは、同じ厚みで肌当接面側を面一とされているか、又は側部吸収部３６が中央吸収部３７よりも厚みが薄く肌当接面側を低くされている。これにより、失禁パッド１０を装着する際は、中央吸収部３７を身体にフィットさせることができる。
【００１７】
前述した吸水性ポリマー３２の坪量差により、側部吸収部３６では、中央吸収部３７に比べ、親水性繊維２１よりも吸水性ポリマー３２が主体となって尿等の排泄液を吸収保持する。吸水性ポリマー３２は液の吸収保持で大きく膨潤するため、吸水性ポリマー３２を多く含む側部吸収部３６は、尿等の吸収で中央吸収部３７よりも嵩高くなる（図３（ａ）→（ｂ））。これにより側部吸収部３６は、中央吸収部３７に対して高さのある防漏堤７となる。防漏堤７は、その高さで、吸収性コア３の肌当接面側を液が横方向に流れ出るのを防御できる。また防漏堤７内部では、吸水性ポリマー３２が膨潤によりゲル状となり側部吸収部３２内部の隙間を埋め、これにより防漏堤７は内部を移行する液をゲルブロックする。たとえ僅かな隙間がありそこから液が浸透しても、多量の吸水性ポリマー３２がその液を吸収保持して固定化できる。このようにして防漏堤７は、その後の液の横漏れを防止できる。以上の作用を奏する吸水性ポリマー３２が親水性繊維３１との混合積繊であることで、側部吸収部３６における吸水性ポリマー３２の配置が安定し、かつ繊維間の空間の存在により膨潤の自由度が確保されて好適な防漏堤７となり易く好ましい。
【００１８】
さらに失禁パッド１０には、厚み方向に貫通した溝部８が、吸収性コア３における側部吸収部３６と中央吸収部３７との境界Ｍ近傍に縦方向に配設されている。境界Ｍは、側部吸収部３６の内方側部でもある。この溝部８は、吸収性コア３の排泄体領域Ｃで受け止めた液を確実にとらえて、無駄なく効率的に側部吸収部３６全体へと運ぶことができる（図３（ｂ）参照）。特に、初回の排泄時は、吸収性コア３が乾燥しているため液が素早く拡散し境界Ｍに到達し易い。これを利用して、境界Ｍ近傍の溝部８が尿等の排泄液を素早く捉え、側部吸収部３６の縦方向全体へと優先的に送り込むことができる。この側部吸収部３６とその近傍にある溝部８との連携により、排泄の初期段階で排泄量が少量であっても、防漏堤７が側部吸収部３６の全長に亘って素早く形成され得る。なお、排泄の初期段階とは、排泄量が３０ｍｌあった場合である。また、防漏提７の形成とは、後述する試験方法による１回目の注入後２分経過後において、中央吸収部３７と側部吸収部３６との高さの差が、２ｍｍ以上であることをいう。この防漏堤７が形成される排泄量としては、例えば３０ｍｌであれば十分であり、大人の一般的な１回の排尿１５０ｍｌよりはるかに少ない量である。このことが、少量ずつの排尿を繰り返し受け止める失禁パッドにとって好適である。また逆に、排泄の初期段階で防漏堤７が形成されるので、一度に多量の液を受け止める使い捨ておむつ等にも適用可能である。
【００１９】
このように防漏堤７は、側部吸収部３６と溝部８との連携により、排泄の初期段階で素早く形成される。そのため、さらなる排泄や初回時の通常よりも多量の排泄に素早く対応して横漏れを防止し得る（図３（ｂ）参照）。また防漏堤７は、溝部８における液の拡散で、吸収性コア３の縦方向全体に及んで形成され得るので、排泄部対応領域Ｃ以外の部分でも隙間なく液の移行を防御し得る。特に、着用者の動きや体勢の変化で失禁パッド１０の様々な部分で液流れが生じ得るが、これに対しても縦方向に亘って高さのある防漏堤７が液漏れを効果的に防止し得る。
一方、溝部８を伝い縦方向に拡散された尿等は、防漏堤７で横方向への拡散を防御されつつ、中央吸収部３７の前方部Ｆないし後方部Ｒで吸収保持される。つまり溝部８は、排泄初期の防漏堤７形成を促すとともに、中央吸収部３７全体を有効活用した液の吸収保持を促進することができる。このことが、横方向へ移行し得る液量を大きく低減し防漏性を高め得る。また、溝部８は、厚み方向に貫通した溝であるので、横方向に移行する液を溝底部へと落とし込み、液の流れを遮断し得る。このこと自体もまた防漏堤７へ至る液の勢いを止めて防漏性に寄与し得る。
【００２０】
また防漏堤７は、中央吸収部３７よりも肌当接面側に隆起しているため着用者の肌と接する部分となる。これにより、中央吸収部３７及び溝部８は、肌と一対の防漏堤７，７とに囲まれた窪みを形成しさらに液が横方向に移行し難くなる。
一方、防漏堤７の隆起で吸収性コア３全体としては肌当接面側が凹凸となる。しかし、防漏堤７では、吸水性ポリマー３２が液を内部に保持してゲル状となっているため柔らかく弾力性を有する。この特性により、肌当接面側に凹凸ができても、フィット性が阻害され難く、装着時の違和感が緩和され得る。このように失禁パッド１０は、最初から吸収体の側部を繊維等で嵩増しした場合に比べて硬さがなく好ましい。さらに吸水性ポリマー３２による液吸収保持は親水性繊維による場合に比べて液保持性が高く、体圧でも液が流出し難い。これにより、防漏堤７が肌に接触する状態でも液戻りによる肌への付着や液漏れが生じ難い。その結果、失禁パッド１０は、防漏性を高めつつ、柔らかな肌触りやドライ感等の穿き心地の良さを装着中保持することができる。
【００２１】
以上のような防漏堤７となる側部吸収部３６の横幅（Ｗ２）と中央吸収部３７の中央線ＣＬから境界Ｍまでの横幅（Ｗ３）との比率（Ｗ２／Ｗ３）は、１／７以上が好ましく、１／６以上がより好ましい。これにより、側部吸収部が中央吸収部よりも離れ過ぎず、側部吸収部に液を効果的に流すことができる。また前記比率（Ｗ２／Ｗ３）の上限は、１／４以下が好ましく、１／５以下がより好ましい。これにより、側部吸収部が大き過ぎず、側部吸収部の外方端部まで吸収できるとすることができる。
【００２２】
前述の坪量差に関し、側部吸収部３６の吸水性ポリマー３２の坪量（ｑ１）の、中央吸収部３７の吸水性ポリマー３２の坪量（ｑ２）に対する比（ｑ１／ｑ２）は２以上、５以下とされている。中央部吸収部３７に対し側部吸収部３６の吸水性ポリマー３２の坪量が２倍以上であることで、側部吸収部３６は、中央部吸収部３７に対して十分な高さの堤を形成することができる。この観点からさらに、前記坪量の比（ｑ１／ｑ２）は、２以上であることがより好ましく、２．５以上であることがさらに好ましい。一方、中央部吸収部３７に対し側部吸収部３６の吸水性ポリマー３２の坪量が５倍以下であることで、側部吸収部３６が過度な堤高さとならず、中央吸収部３７と肌との隙間が空き過ぎない。これにより前後方向端部からの液漏れを生じ難い。この観点からさらに、前記坪量の比（ｑ１／ｑ２）は、３以下であることがより好ましい。
失禁パッド１０の中央吸収部３７は、親水性繊維の坪量が１００ｇ／ｍ２以上、２５０ｇ／ｍ２以下であることが好ましい。中央吸収部３７の吸水性ポリマー３２の坪量（ｑ２）は、１００ｇ／ｍ２以上、２５０ｇ／ｍ２以下であることが好ましい。中央吸収部３７全体の坪量は、２００ｇ／ｍ２以上、５００ｇ／ｍ２以下であることが好ましい。
失禁パッド１０の側部吸収部３６は、親水性繊維の坪量が１００ｇ／ｍ２以上、２５０ｇ／ｍ２以下であることが好ましい。側部吸収部３６の吸水性ポリマー３２の坪量（ｑ１）は、１００ｇ／ｍ２以上であることが好ましく、２５０ｇ／ｍ２以上であることがより好ましい。また、着用者の肌と間の隙間による液漏れを抑える観点、及び、吸水性ポリマー３２が過剰であるために膨潤した際に側部吸収部３６が崩れるのを防ぐ観点から、側部吸収部３６の吸水性ポリマー３２の坪量（ｑ１）の上限は７５０ｇ／ｍ２以下であることが好ましく、６５０ｇ／ｍ２以下であることがより好ましい。側部吸収部３６全体の坪量は、３００ｇ／ｍ２以上であることが好ましく、５００ｇ／ｍ２以上であることがより好ましい。また、側部吸収部３６全体の坪量の上限は、１０００ｇ／ｍ２以下であることが好ましく、７５０ｇ／ｍ２以下であることがより好ましい。
【００２３】
（坪量の測定方法）
側部吸収部３６と中央吸収部３７の境界Ｍは、下記に示す吸収性コア３の飽和吸水の手段で見出すことができる。即ち、飽和吸水後の吸収性コア３において、高さに差がある箇所が、境界Ｍとなる。
見出された境界Ｍに相当する箇所を、乾燥状態の吸収性コア３から切断する。それにより側部吸収部３６と中央吸収部３７を分離することができる。次に、分離された側部吸収部３６と中央吸収部３７のそれぞれの面積を測定し、重量（ａ）を測定する。その後、側部吸収部３６と中央吸収部３７をそれぞれメッシュ製の袋に封入し、アスコルビン酸及びリボフラビンの水溶液に一晩浸漬させる。そして、浸漬させたメッシュ製の袋ごと、各吸収部３６，３７を日光暴露する。その後、メッシュ製の袋を水洗し、袋の内容物の重量を測定(ｂ)する。ここで、ａはパルプとポリマーの総重量であり、ｂはパルプ重量であることから、ａ−ｂによりポリマー重量が算出できる。そして、該ポリマー重量と、各吸収部３６，３７の面積から、坪量を測定する。
【００２４】
上記の含有比率において、吸水性ポリマー３２が飽和吸水した状態で、側部吸収部３６と中央部吸収部３７との高さの差は、４ｍｍ以上が好ましく、５ｍｍ以上がさらに好ましい。前記下限値以上とるすことで、吸収性コア３の肌当接面側で流れる液を確実に防御することができる。一方、その上限は、１０ｍｍ以下が好ましく、７ｍｍ以下がさらに好ましい。前記所上限値以下とすることで、着用者の肌と間の隙間による液漏れを抑えることができる。前記飽和吸水した状態とは、個々の吸水性ポリマーが最大限液を吸水した状態であり、その飽和吸水量はＪＩＳ  Ｋ  ７２２３（１９９６）に準拠して測定される量である。
【００２５】
（飽和吸水した際の側部吸収部３６及び中央吸収部３７の高さの測定方法）
キーエンス（ＫＥＹＥＮＣＥ）社のレーザーデジタル厚み測定器を用いて、重さ２．５ｇ、半径１２．５ｍｍの金属製の円板を飽和吸水した吸収性コア３の上に置き、測定を行う。
【００２６】
縦方向に亘って形成される防漏堤７は、防漏性の観点から、吸収性コア３の全長に亘って形成されることが好ましが、少なくとも排泄部対応領域Ｃを中心に吸収性コア３の全長の８０％以上あることが好ましく、９０％以上あることがより好ましい。
【００２７】
また溝部８で拡散された尿等が僅かでもこれを効率的に利用して防漏堤７を形成するために、側部吸収部３６の肌当接面側よりも非肌当接面側の底部３６Ａに吸水性ポリマー３２が多く配置されることが好ましい（図２参照）。さらに、少量の尿等を側部吸収部３６の底部３６Ａへと積極的に取り込ませるために、親水性シートが、溝部８及び側部吸収部３６の非肌当接面側を覆いさらに側部吸収部３６の外方側面３６Ｂへと巻き上げられていることが好ましい。この親水性シートとしては、図２に示すように、被覆シート４であってもよく、被覆シート４とは別のシートを配してもよい。被覆シート４を用いる場合、例えば図４（ａ）〜（ｃ）に示すような被覆の仕方であることが、シートの切れ目なく好ましい。
なお、肌当接面側よりも非肌当接面側の底部３６Ａに吸水性ポリマー３２が多く配置されていることは、下記の手段によって分析することができる。まず、乾燥状態で吸収性コア３を切断し、硫酸銅水溶液若しくは乳酸鉄水溶液を注入する。これにより、吸水性ポリマー３２のみを膨潤させずに着色することができる。その後、切断面をデジタルカメラで撮影し、画像中のポリマー粒子の面積を計算し、厚み方向でのポリマー粒子の密度を算出する。
【００２８】
以上のような溝部８による前述の作用をより効果的なものとするため、溝部８の肌当接面側に位置する被覆シート４の部分が、開口しているか、又は非肌面側へ窪んで接合されていることが好ましい。これにより、吸収性コア３の肌当接面側だけでなく、吸収体５の肌当接面側にあたる被覆シート４上を流れる液を溝部８が捉えて落とし込み拡散させることができる。また、防漏堤７と中央吸収部３７との段差が、被覆シート４を含めた吸収体５としても形成されることとなり、液の横漏れ防止に効果的である。
【００２９】
次に、溝部８の好ましい配置等について説明する。
溝部８の横方向幅（Ｗ６、図２参照）は、２ｍｍ以上であることが好ましい。これにより、側部吸収部３６内の吸水性ポリマー３２の膨潤で溝部６が完全に塞がれることなく、導液路が確保され得る。この観点からさらに、３ｍｍ以上であることがより好ましい。一方、その上限は、７ｍｍ以下であることが好ましい。これにより、拡散させた液を側部吸収部３６へと送り出し易くなる。この観点からさらに、５ｍｍ以下であることがより好ましい。なお溝部８は、前述の好ましい溝幅（Ｗ６）において、液拡散性の観点から、吸収性コア３の構成素材（親水性繊維３１や吸水性ポリマー３２など）が全くない方が好ましいが、これに限らず、液の拡散路が確保できる程度に多少の混入も許容する。
溝部８の横方向幅（Ｗ６）は、吸収性コア３が未使用の乾燥状態で測定する。また、基溝幅（Ｗ６）が吸収性コア３の厚み方向において均一でない場合は、溝幅（Ｗ６）が最も狭い場所と最も広い場所とで、上記の値であることが好ましい。
【００３０】
溝部８が配置される境界Ｍ近傍（すなわち、側部吸収部３６の内方端部の近傍）とは、前述した溝部８が尿等の排泄液を的確に捉えて側部吸収部３６全体へ優先的に送り込むことができる領域である。できるだけ、吸収性コア３の横方向の中心線ＣＬ寄りで、かつ、境界Ｍ（すなわち側部吸収部３６の内方端）から離れすぎない配置とされることが好ましい。
溝部８が境界Ｍから離間する場合の限界位置は、図５（ａ）に示されるように、境界Ｍよりも中心線ＣＬ側において境界Ｍと溝部８の横方向外方端８１との離間距離が１０ｍｍ未満であることが好ましい。前記上限値以下とすることで、溝部８が拡散させた排泄液を好適に側部吸収部３６へと送り込むことができる。この点を図２及び図５（ａ）でより詳しく説明すると次のとおりである。まず、吸収性コア３の横方向中心線ＣＬから左側端部までの幅Ｗ１に対し、側部吸収部３６の幅Ｗ２、中央吸収部３７のＷ３（中央吸収部３７全体の幅の半分）、溝部８の幅Ｗ６として示している。また、境界Ｍと溝部８の横方向外方端８１との離間距離をＷ４、中心線ＣＬから溝部８の横方向外方端８１までの距離をＷ５として示している。この場合、境界Ｍと溝部８の横方向外方端８１との離間距離は（Ｗ４＝（Ｗ３−Ｗ５））として示される。このＷ４が上限として１０ｍｍ未満であることが好ましい（Ｗ４＝（Ｗ３−Ｗ５）＜１０ｍｍ）。
一方、溝部８が横方向中心線ＣＬから離れる限界位置としては、図５（ｂ）の断面図に示されるように、溝部８が境界Ｍと離間しておらず（Ｗ４＝０）、側部吸収部３６へ入り込んだ場合であって、溝部８が境界Ｍと重なる配置（−Ｗ６＜（Ｗ３−Ｗ５））であることが好ましい。この重なる配置には、溝部８が境界Ｍの外側で境界Ｍと離間することを含まない。これにより、尿等の排泄液を的確に取り込んで直ぐに側部吸収部３６へと送り出すことができる。なお吸収性コア３の平面視で、溝部８の幅（Ｗ６）が縦方向に沿って一定でない場合、最も広い部分を基準とする。また、境界Ｍに対し溝部８の横方向外方端８１が平行でなく、離間距離（Ｗ４）が縦方向に沿って一定でない場合、最も離間した部分を基準とする。さらに境界Ｍに対し溝部８の横方向外方端８１が平行でなく前記（Ｗ３−Ｗ５）が一定でない場合、（−Ｗ６＜（Ｗ３−Ｗ５））は（Ｗ５）が最も大きいところを基準とする。なお、境界Ｍに対し溝部８の横方向外方端８１が平行でない場合には、離間距離（Ｗ４）がある部分と、離間距離（Ｗ４）＝０かつ（−Ｗ６＜（Ｗ３−Ｗ５））となる部分とが共存する場合がある。
【００３１】
さらに、溝部８が排泄液をいち早く取り込むために、吸収性コア３の中心線ＣＬと溝部８の横方向内方端８２との離間距離（Ｗ７）は３０ｍｍ以下が好ましく、２５ｍｍ以下がより好ましい。一方、その上限は、取り込み過ぎによる液漏れを防止し、かつ、中央吸収部３７の吸収保持性能を阻害しないために、１５ｍｍ以上が好ましく、２０ｍｍ以上がより好ましい。この離間距離（Ｗ７）は、縦方向において一定である必要はなく、排泄された液を素早く無駄なく取り込む観点から、特に排泄部対応領域Ｃの縦方向中心位置で設定されていることが好ましい。
【００３２】
また溝部８は、吸収性コア３の平面視において、少なくとも吸収性コア３の縦方向長さを５等分したときの中央の３区画分の長さ以上であることが好ましい。これにより、側部吸収部３６がなす防漏堤７は、十分な長さとなる。一方、その上限は、吸収性コア３の縦方向長さの８０％以内であることが好ましい。これにより、縦方向に拡散させた尿等が吸収性コア３の前後端側から漏れ出ることを防止することができる。
【００３３】
このような溝部８の他の好ましい配置として、例えば、図６（ａ）〜（ｇ）に示すような配置が挙げられる。
溝部が縦方向の一端側にいくほど幅方向端部寄りにある形態は、臀部部分にしっかりした防漏壁ができるという理由から好ましい。具体的には、図６（ａ）及び（ｂ）である。
溝部の長手方向中央部が最も中心線ＣＬに近い形態は、液をより補足しやすく、幅方向に流しやすいという理由から好ましい。具体的には、図６（ｃ）、（ｄ）及び（ｅ）である。
溝部８に加えて、さらに中心線ＣＬ上に溝を有する形態は、長手方向及び幅方向に液を流しやすいという理由から好ましい。具体的には、図６（ｆ）及び（ｇ）である。
【００３４】
図６（ａ）の溝部８は、境界Ｍと並行ではなく、前方部Ｆから後方部Ｒに向かって内方へ入り込む形状である。これにより、前方部Ｆで素早く防漏堤７が形成されて、特に男性用に好適な防漏性が得られる。この場合、Ａ１地点が（Ｗ４＝０かつ−Ｗ６＜（Ｗ３−Ｗ５））の範を判断する基準となり、Ａ２地点が（Ｗ４＝（Ｗ３−Ｗ５）＜１０ｍｍ）の範囲を判断する基準点となる。この場合、僅かに離間距離（Ｗ４）が生じている。さらに、Ａ３地点が、中心線ＣＬと溝部８の横方向内方端８２との距離（Ｗ７）を判断する基準点となる。
【００３５】
図６（ｂ）の溝部８は、前方部Ｆで横方向外方側に位置する矩形部分、後方部Ｒで横方向内方側に位置する矩形部分との組み合わせである。溝部８は、排泄部対応領域Ｃで前記両者の配置のずれが段差として形成されている。これにより段差のあるＡ３地点から液を後方部Ｒ側へ拡散し易く、臀部周りにしっかりとした防漏堤７が形成されすい。これにより特に女性用に好適な防漏性が得られる。この場合、Ａ１地点が（Ｗ４＝０かつ−Ｗ６＜（Ｗ３−Ｗ５））の範を判断する基準となり、Ａ２地点が（Ｗ４＝（Ｗ３−Ｗ５）＜１０ｍｍ）の範囲を判断する基準点となる。この場合、僅かに離間距離（Ｗ４）が生じている。さらに、Ａ３地点が、中心線ＣＬと溝部８の横方向内方端８２との距離（Ｗ７）を判断する基準点となる。
【００３６】
図６（ｃ）の溝部８は、縦方向中央で横方向中心線ＣＬ側へと湾曲した形状である。これにより、中心線ＣＬに最も近づいたＡ３地点で素早く効率的に排泄液を捉え排泄部対応領域Ｃを中心に縦方向の防漏堤７を形成することができる。この場合、Ａ１地点が境界Ｍを越えて最も側部吸収部３６に入り、（Ｗ４＝０かつ−Ｗ６＜（Ｗ３−Ｗ５））の範囲を判断する基準点となる。また、Ａ２地点が境界Ｍよりも中心線ＣＬ側にあり、（Ｗ４＝（Ｗ３−Ｗ５）＜１０ｍｍ）の範囲を判断する基準点となる。この例では、溝部８の横方向外方端８１と境界Ｍとが重なり（Ｗ４＝０）となっており好ましい。さらに、Ａ３地点が、溝部８の横方向内方端８２が中心線ＣＬに最も接近し、中心線ＣＬと溝部８の横方向内方端８２との距離（Ｗ７）を判断する基準点となる。
【００３７】
図６（ｄ）の溝部８は、縦方向中央部分が横方向に尖ったひし形状である。これにより、Ａ３地点で素早く効率的に排泄液を捉え、縦方向に均等に防漏堤７を形成することができる。この場合、Ａ１地点が（Ｗ４＝０かつ−Ｗ６＜（Ｗ３−Ｗ５））の範を判断する基準となり、Ａ２地点が（Ｗ４＝（Ｗ３−Ｗ５）＜１０ｍｍ）の範囲を判断する基準点となる。この場合、僅かに離間距離（Ｗ４）が生じている。さらに、Ａ３地点が、中心線ＣＬと溝部８の横方向内方端８２との距離（Ｗ７）を判断する基準点となる。
【００３８】
図６（ｅ）の溝部８は、境界Ｍよりも内側で、この境界Ｍと並行となるよう縦方向に沿った矩形形状である。さらに排泄部対応領域Ｃの液を直接受けやすい部分（図４（ｇ）において縦方向、横方向の中心部分）に向かって張り出した凸部８３を有する。この凸部８３でいち早く尿等の排泄液を捉えることができる。しかも溝部８全体としては横幅を抑え、境界Ｍとの離間距離を広げすぎない配置とできる。これにより側部吸収部３６への排泄液の引き渡しを素早く効率的に行うことができ好ましい。この場合、Ａ２地点が（Ｗ４＝（Ｗ３−Ｗ５）＜１０ｍｍ）の範囲を判断する基準点となる。さらに、Ａ３地点が、中心線ＣＬと溝部８の横方向内方端８２との距離（Ｗ７）を判断する基準点となる。
【００３９】
図６（ｆ）の溝部８は、縦方向に沿った矩形形状であり、境界Ｍと重なる配置とされている。さらに、横方向中心線ＣＬ付近に別の溝部８８が形成されている。なお、この溝部８８は、境界Ｍの近傍に配置された溝部には含まれない。溝部８８は、溝部８に液が到達する前に縦方向への拡散を行うので、溝部８の全体に液が行きわたり易い。これにより防漏堤７が縦方向に素早く万遍無く形成され得る。この場合、Ａ１地点が（Ｗ４＝０かつ−Ｗ６＜（Ｗ３−Ｗ５））の範を判断する基準となる。さらに、Ａ３地点が、中心線ＣＬと溝部８の横方向内方端８２との距離（Ｗ７）を判断する基準点となる。
【００４０】
図６（ｇ）の溝部８は、図６（ｆ）と同様である。さらに横方向中心線ＣＬに沿って、３つの横長の溝部８９が縦方向に間欠的に配置されている。これにより中心線Ｃｌ付近で横方向への拡散を縦方向の複数地点で行い、溝部８への液供給が縦方向に万遍無くなされ、防漏堤７が縦方向に素早く万遍無く形成され得る。この場合、Ａ１地点が（Ｗ４＝０かつ−Ｗ６＜（Ｗ３−Ｗ５））の範を判断する基準となる。さらに、Ａ３地点が、中心線ＣＬと溝部８の横方向内方端８２との距離（Ｗ７）を判断する基準点となる。
【００４１】
次に、本発明の吸収性物品に用いられる部材の好ましい形成素材について説明する。
表面シート１、裏面シート２、吸収性コア３、被覆シート４及びサイドシート６の形成材料としては、この種の物品に採用されるものを特に制限なく用いることができる。
【００４２】
例えば、表面シート１は、排泄された体液を速やかに吸収し、吸収体に伝達する観点と肌触りのよさの観点とから親水性のサーマルボンド不織布が好ましく、特にエアスルー不織布が好ましい。表面層１は親水化処理された熱可塑性樹脂繊維であり、かつ、該繊維が２次クリンプ又は３次クリンプのような立体捲縮がなされた繊維であることが好ましい。具体的には、ポリエチレン、ポリプロピレン、ポリエステル、ナイロン、及びこれらの複合繊維を作成し、所定の長さにカットしてステープルを形成する前の段階で、各種親水化剤を塗工する。親水化剤としては、αオレフィンスルホン酸塩に代表される各種アルキルスルホン酸塩、アクリル酸塩、アクリル酸塩／アクリルアミド共重合体、エステルアミド、エステルアミドの塩、ポリエチレングリコール及びその誘導物、水溶性ポリエステル樹脂、各種シリコーン誘導物、各種糖類誘導物、及びこれらの混合物など、当業者公知の親水化剤による親水化処理を用いることができる。
【００４３】
裏面シート２としては、防水性があり透湿性を有していれば特に限定されないが、例えば、疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン、ポリブテン等が挙げられ、これらを単独で又は混合して用いることができる。
【００４４】
吸収性コア３を構成する親水性繊維３１としては、例えば、木材パルプ、コットン、麻などの天然繊維、ポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維、アセテートやレーヨンなどの半合成繊維を用いることができる。合成繊維からなる繊維を用いる場合、該繊維は熱によって形状が変化する熱収縮繊維であってもよい。例えば、熱によって繊度は大きくなるが繊維長は短くなるものや、熱によって繊度はほとんど変化しないが、形状がコイル状に変化することでみかけの繊維の占有する長さが短くなるものであってもよい。
吸水性ポリマー３２としては、この種の物品に通常使用されている各種のポリマー材料を用いることがでる。吸水性ポリマー３２は、自重の２０倍以上の水又は生理食塩水を吸収し保持し得る性能を有するような超吸収性高分子化合物であることが好ましい。
【００４５】
被覆シート４は、親水性の部材であり、例えば、親水性のティッシュペーパー等の薄手の紙（薄葉紙）、クレープ紙、コットンやレーヨンなどの親水性繊維からなる不織布、合成樹脂の繊維に親水化処理を施してなる不織布、例えばエアスルー不織布、ポイントボンド不織布、スパンレース不織布、スパンボンド不織布、スパンボンド−メルトブローン−スパンボンド（ＳＭＳ）不織布等からなるものを用いることができる。
【００４６】
サイドシート６としては、撥水性の不織布が好ましく、カード法により製造された不織布、スパンボンド不織布、メルトブローン不織布、スパンレース不織布、ヒートロール不織布、ニードルパンチ不織布等の中から撥水性の物、または撥水処理した種々の不織布を用いることができる。特に好ましくは、例えば、スパンボンド不織布、スパンボンド−メルトブローン（ＳＭ）不織布、スパンボンド−メルトブローン−スパンボンド（ＳＭＳ）不織布等が用いられる。
【００４７】
本発明の吸収性物品は、上記の実施形態の失禁パッドに制限されるものではなく、例えば生理用ナプキンやパンティライナ、使い捨ておむつ、尿とりパッド等に適応することができる。特に、本発明の吸収性物品は、通常の大人の排尿量よりも少量の液で防漏堤が形成されるので、様々な吸収性物品に好適に適用できる。また排泄液も尿に限らず、経血等の粘性の高いものや様々な排泄液の横漏れを好適に防御できる。なお吸収性物品の構成部材として、表面シート１、吸収体３、裏面シート２の他にも用途や機能に合わせ適宜部材を組み込んでもよい。
【００４８】
上述した実施形態に関し、本発明はさらに以下の吸収性物品及びその製造方法を開示する。
【００４９】
＜１＞肌当接面側に配された表面シート、非肌当接面側に配された裏面シート、及び前記両シートの間に介在配置された液保持性の吸収性コアを備え、着用者の腹側部から股下部を介して背側部に亘って配される方向を縦方向、該縦方向と直交する方向を横方向とする吸収性物品であって、
前記吸収性コアは、親水性繊維と吸水性ポリマーとを含有し、横方向において、左右一対の側部吸収部と、該側部吸収部に挟まれた中央吸収部とに区分され、前記側部吸収部は平面視して縦方向に配置されており、
前記中央吸収部よりも前記側部吸収部の前記吸水性ポリマーの坪量が大きく、前記側部吸収部の吸水性ポリマーの坪量（ｑ１）の、前記中央吸収部の吸水性ポリマーの坪量（ｑ２）に対する比（ｑ１／ｑ２）が２以上、５以下であり、
前記吸収性コアには、厚み方向に貫通した溝部が、前記側部吸収部と前記中央吸収部との境界近傍に縦方向に配設されている吸収性物品。
【００５０】
＜２＞前記溝部の横方向幅は、２ｍｍ以上であり、好ましくは３ｍｍ以上である＜１＞に記載の吸収性物品。
＜３＞前記溝部の横方向幅は、７ｍｍ以下であり、好ましくは５ｍｍ以下である＜１＞又は＜２＞に記載の吸収性物品。
＜４＞前記溝部の横方向の溝幅が２ｍｍ以上、７ｍｍ以下である＜２＞又は＜３＞に記載の吸収性物品。
＜５＞前記吸収性コアの肌当接面側において、側部吸収部と中央吸収部とは面一とされているか、又は側部吸収部が中央吸収部よりも低くされており、排泄の初期段階で側部吸収部全体が隆起して防漏堤となり中央吸収部よりも高くなる＜１＞〜＜５＞のいずれか１項に記載の吸収性物品。
＜６＞前記防漏堤と中央吸収部との高さの差は、前記吸水性ポリマーが飽和吸水した状態で、４ｍｍ以上であり、好ましくは５ｍｍ以上である＜５＞に記載の吸収性物品。
＜７＞前記防漏堤と中央吸収部との高さの差は、前記吸水性ポリマーが飽和吸水した状態で、１０ｍｍ以下であり、好ましくは７ｍｍ以下である＜５＞又は＜６＞に記載の吸収性物品。
＜８＞前記防漏堤と中央吸収部との高さの差は４ｍｍ以上、１０ｍｍ以下である＜５＞〜＜７＞のいずれか１項に記載の吸収性物品。
＜９＞前記溝部は、前記側部吸収部及び前記中央吸収部の境界と重なる配置とされているか、または、前記境界と前記溝部の横方向外方端との離間距離を１０ｍｍ以内、好ましくは前記境界よりも横方向中央寄りの配置とされている＜１＞〜＜８＞のいずれか１項に記載の吸収性物品。
＜１０＞前記側部吸収部に含有される吸水性ポリマーは、肌当接面側よりも非肌当接面側に多く配置されている＜１＞〜＜９＞のいずれか１項に記載の吸収性物品。
＜１１＞前記吸収性コアには、溝部及び側部吸収部の非肌当接面側を覆い、さらに前記側部吸収部の側面へと巻きあげられた親水性シートが配されている＜１＞〜＜１０＞のいずれか１項に記載の吸収性物品。
＜１２＞前記側部吸収部の横幅（Ｗ２）と前記中央吸収部の中央線から境界までの横幅（Ｗ３）との比率（Ｗ２／Ｗ３）は、１／７以上であり、好ましくは１／６以上である＜１＞〜＜１１＞のいずれか１項に記載の吸収性物品。
＜１３＞前記側部吸収部の横幅（Ｗ２）と前記中央吸収部の中央線から境界までの横幅（Ｗ３）との比率（Ｗ２／Ｗ３）は、１／４以下であり、好ましくは１／５以下である＜１＞〜＜１２＞のいずれか１項に記載の吸収性物品。
＜１４＞前記側部吸収部の吸水性ポリマーの坪量（ｑ１）の、前記中央吸収部の吸水性ポリマーの坪量（ｑ２）に対する比（ｑ１／ｑ２）は、２以上であり、好ましくは２．５以上である＜１＞〜＜１３＞のいずれか１項に記載の吸収性物品。
＜１５＞前記側部吸収部の吸水性ポリマーの坪量（ｑ１）の、前記中央吸収部の吸水性ポリマーの坪量（ｑ２）に対する比（ｑ１／ｑ２）は、５以下であり、好ましくは３以下である＜１＞〜＜１４＞のいずれか１項に記載の吸収性物品。
＜１６＞防漏堤は少なくとも排泄部対応領域を中心に吸収性コアの全長の、８０％以上であり、好ましくは９０％以上である＜１＞〜＜１５＞のいずれか１項に記載の吸収性物品。
＜１７＞前記吸収性コアの中心線と溝部の横方向内方端との離間距離は、３０ｍｍ以下であり、好ましくは２５ｍｍ以下である＜１＞〜＜１６＞のいずれか１項に記載の吸収性物品。
＜１８＞前記吸収性コアの中心線と溝部の横方向内方端との離間距離は、１５ｍｍ以上であり、好ましくは２０ｍｍ以上である＜１＞〜＜１７＞のいずれか１項に記載の吸収性物品。
＜１９＞前記溝部は、前記吸収性コアの平面視において、少なくとも吸収性コアの縦方向長さを５等分したときの中央の３区画分の長さ以上である＜１＞〜＜１８＞のいずれか１項に記載の吸収性物品。
＜２０＞前記溝部は、前記吸収性コアの平面視において、吸収性コアの縦方向長さの８０％以内である＜１＞〜＜１９＞のいずれか１項に記載の吸収性物品。
＜２１＞前記吸収性コアには、溝部及び側部吸収部の非肌当接面側を覆い、さらに前記側部吸収部の側面へと巻きあげられた親水性シートが配されている＜１＞〜＜２０＞のいずれか１項に記載の吸収性物品。
＜２２＞前記吸収性物品が、失禁パッドである＜１＞〜＜２１＞のいずれか１項に記載の吸収性物品。
＜２３＞前記溝部は、縦方向の一端側にいくほど幅方向端部寄りにある＜１＞〜＜２２＞のいずれか１項に記載の吸収性物品。
＜２４＞前記溝部は、前方部から後方部に向かって内方へ入り込む形状である＜２３＞に記載の吸収性物品。
＜２５＞前記溝部は、前方部で横方向外方側に位置する矩形部分、後方部で横方向内方側に位置する矩形部分との組み合わせである＜２３＞に記載の吸収性物品。
＜２６＞前記溝部の長手方向中央部が最も中心線に近い＜１＞〜＜２２＞のいずれか１項に記載の吸収性物品。
＜２７＞前記溝部は、縦方向中央で横方向中心線側へと湾曲した形状である＜２６＞に記載の吸収性物品。
＜２８＞前記溝部は、縦方向中央部分が横方向に尖ったひし形状である＜２６＞に記載の吸収性物品。
＜２９＞前記溝部は、境界Ｍよりも内側で、この境界Ｍと並行となるよう縦方向に沿った矩形形状であり、さらに排泄部対応領域に向かって張り出した凸部を有する＜２６＞に記載の吸収性物品。
＜３０＞前記溝部に加えて、さらに中心線上に溝を有する＜１＞〜＜２２＞のいずれか１項に記載の吸収性物品。
＜３１＞溝部は、縦方向に沿った矩形形状であり境界と重なる配置とされ、さらに横方向中心線付近に別の溝部が形成されている＜３０＞に記載の吸収性物品。
＜３２＞溝部は、縦方向に沿った矩形形状であり境界と重なる配置とされ、さらに横方向中心線に沿って、横長の溝部が縦方向に間欠的に配置されている＜３０＞に記載の吸収性物品。
＜３３＞前記中央吸収部の前記吸水性ポリマーの坪量（ｑ２）は、１００ｇ／ｍ２以上、２５０ｇ／ｍ２以下である＜１＞〜＜３２＞のいずれか１項に記載の吸収性物品。
＜３４＞前記側部吸収部の前記吸水性ポリマーの坪量（ｑ１）は、１００ｇ／ｍ２以上、好ましくは２５０ｇ／ｍ２以上である＜１＞〜＜３３＞のいずれか１項に記載の吸収性物品。
＜３５＞前記側部吸収部の前記吸水性ポリマーの坪量（ｑ１）は、７５０ｇ／ｍ２以下、好ましくは６５０ｇ／ｍ２以下である＜１＞〜＜３４＞のいずれか１項に記載の吸収性物品。
【実施例】
【００５１】
以下に、本発明について実施例に基づきさらに詳細に説明するが、本発明はこれにより限定して解釈されるものではない。
【００５２】
（実施例１）
親水性繊維（ウェア−ハウザ−社製ＮＢ４１６Ｌ１０００Ｗ）と吸水性ポリマー（日本触媒社製ＣＡＷ１５１）との混合積繊体とする吸収性コアを常法により得た。その際、積繊ドラムに親水性繊維を最初に堆積させ、その後吸収性ポリマーと親水性繊維を堆積させることにより、一方の面側よりも他方の面側の吸水性ポリマーの量が多くなるように、混合積繊体を得た。親水性繊維の坪量を１５０ｇ／ｍ２、吸水性ポリマーの坪量（ｑ２）を１５７ｇ／ｍ２とした混合積繊体を、横幅を４４ｍｍに切断し、中央吸収部とした。また、親水性繊維の坪量を１５０ｇ／ｍ２、吸水性ポリマーの坪量（ｑ１）を４５０ｇ／ｍ２とした混合積繊体を、横幅をそれぞれ１１ｍｍに切断し、側部吸収部とした。坪量比（ｑ１／ｑ２）は約２．９倍であった。
次いで、横幅２ｍｍの溝部となるよう側部吸収部と中央吸収部を配置した。このとき、溝部の横方向外方端と、前記吸収性コアの側部吸収部と中央吸収部との境界との離間距離（Ｗ４）が０ｍｍとなるようにした。この溝部の縦方向の長さは、１８ｃｍであった。吸収性コアの縦方向長さは２４ｃｍであった。従って、溝部の縦方向の長さは、吸収性コアの縦方向長さの縦方向長さの７５％であった。このとき、側部吸収部及び中央吸収部の厚みは、ともに４ｍｍであり、肌当接面側で面一とされていた。
次いで、前記吸収性コアを被覆シート（親水性パルプを抄紙により得た坪量１６ｇ／ｍ２のシート）で下面側から上面側へ巻き上げるようにして被覆し、上面側で接合固定し、吸収体を得た。
こうして得た吸収体を液透過性のトップシート及び液難透過性の裏面シートに組み入れ、失禁パッドのサンプルＳ１とした。
【００５３】
（比較例１）
比較例は、実施例のものに溝部を形成しなかった以外は同様にして失禁パッドのサンプルｃ１を得た。
【００５４】
（試験方法）
各サンプル品の肌当接面側を表側に向け平坦面上に置き、排泄部対応領域Ｃに相当する縦横中央部分に、１回目の人工尿（尿素：１．９％、塩化ナトリウム：０．８％、硫酸マグネシウム七水和物：０．１％、塩化カルシウムに水和物：０．１％、硫酸カリウム：０．１％、エマルゲン１３０Ｋ：０．１％、赤色二号：０．１％、イオン交換水：９６．８％）を３０ｍｌ、３ｃｍの高さから５ｇ／ｓｅｃの速度で注入した。このとき、度調整機能付き液体排出ポンプの装置を用いて、内径４ｍｍのチューブを介して行った。
次いで、注入後２分経過後に、さらに２回目の人工尿３０ｍｌを１回目と同様にして注入した。
この試験において、１回目の液注入で、側部吸収部及び中央吸収部の膨潤の程度を測定し、防漏堤の形成を確認した。さらに、２回目の液注入で、液の拡散領域を確認した。また同時に、液の横漏れの有無を確認した。
【００５５】
【表１】
2014100201.tif 000003
【００５６】
（１回目液投入による防漏堤の形成状態）
○：側部吸収部に効果的に液がいき、側部吸収部が長手方向に対して均一に膨潤した。
△：側部吸収部が膨潤するが、側部吸収部が長手方向に対して均一に膨潤しなかった。
×：側部吸収部が膨潤しなかった。
（２回目液投入時の中央吸収部の前後領域での液吸収保持の状態）
○：一回目吸収時に液が到達していない中央吸収部の前後領域で液が吸収された。
△：一回目吸収時に液が到達していない中央吸収部の前後領域の僅かな部分でしか吸収されなかった。
×：一回目吸収時に液が到達していない中央吸収部の前後領域で吸収されなかった。
【００５７】
表１に示す結果から明らかなように、実施例１は、側部吸収部において乾燥時の４ｍｍから１４ｍｍと３．５倍の厚みとなって膨潤した。またこれは、中央吸収部の膨潤による厚み７ｍｍに対して、２倍の厚みとなった。一方比較例１は、防漏堤が十分に形成されず高さ不足となった。これにより、実施例１の失禁パッドのサンプルｓ１は、比較例に比べて、素早く確実に防漏堤が形成されることが分かった。
また、２回目の液投入において、実施例１の方が比較例１に比べて中央吸収部の前後端の広い範囲で液を吸収保持できた。これにより、実施例１は、比較例１に比べて溝部と防漏堤の連携で、中央部吸収部を活用して液吸収保持できることが分かった。さらに、実施例のサンプルｃ１は横方向からの液漏れが生じていないことが確認された。これは防漏堤によるものと理解できる。
【符号の説明】
【００５８】
１  表面シート
２  裏面シート
３  吸収性コア
３１  親水性繊維
３２  吸水性ポリマー
３６  側部吸収部
３７  中央吸収部
４  被覆シート（親水性シート）
５  吸収体
６  サイドシート
７  防漏堤
８  溝部
１０  失禁パッド
【図１】
2014100201.tif 000004
【図２】
2014100201.tif 000005
【図３】
2014100201.tif 000006
【図４】
2014100201.tif 000007
【図５】
2014100201.tif 000008
【図６】
2014100201.tif 000009